(57)【要約】      （修正有）【課題】ユーザが明示的な操作を行わずに大量の番組が記録再生装置に録画されている状況において、一般に人気のある番組をユーザが容易に発見できる記録再生装置ならびに録画再生方法を提供する。【解決手段】放送または通信により提供される複数の番組を同時に録画・再生できる記録再生装置であって、放送または通信により伝送される番組ならびに番組情報を受信する受信部と、受信した番組情報を管理する番組情報管理部と、受信した番組の録画・再生を制御する録画・再生制御部と、ネットワークにより接続された視聴率管理サーバとデータの送受信を行う通信部と、取得した視聴率情報を管理する視聴率管理部と、ユーザからの入力操作を受け付ける入力部と、視聴率情報と前記番組情報を元に録画された番組を再生表示する表示制御部と、を備える。【選択図】図２
2011182275.tif 000002
【特許請求の範囲】
【請求項１】
放送または通信により配信される番組を複数同時に録画し、複数同時に再生することができる記録再生装置であって、
前記複数の番組ならびに該複数の番組ごとの番組情報を受信可能な受信部と、
外部のネットワークを介して取得される複数の番組ごとの視聴率情報を管理する視聴率管理部と、
前記受信部で受信された複数の番組ごとの番組情報に、前記視聴率管理部で管理される複数の番組ごとの視聴率情報を関連付けた番組管理テーブルを作成する番組情報制御部と、
前記受信部で受信された複数の番組と、前記番組情報制御部で作成された番組管理テーブルを記録する記録部と、
指定された録画時刻に記録された複数の番組を同時に再生させる録画再生制御部と、
前記録画再生制御部で再生される複数の番組を同時に表示する表示部と、
前記記録部で記録された番組情報管理テーブルの複数の番組ごとの視聴率情報に基づき、前記表示部で表示される複数の番組の表示領域を変更させる表示制御部と、を備えることを特徴とする記録再生装置。
【請求項２】
前記視聴率情報は、一定時間ごとの視聴率を示す情報であって、
前記表示制御部は、複数の番組の一定時間ごとの視聴率の変化に合わせて、複数の番組の表示領域を更新させることを特徴とする請求項１に記載の記録再生装置。
【請求項３】
前記表示制御部で行われる表示領域の変更もしくは更新により、視聴率の高い番組順に表示位置が変更もしくは更新されることことを特徴とする請求項１、または２に記載の記録再生装置。
【請求項４】
前記表示制御部で行われる表示領域の変更もしくは更新により、複数の番組の視聴率の高さに応じて、表示サイズが変更もしくは更新されることを特徴とする請求項１または２に記載の記録再生装置。
【請求項５】
前記表示制御部で行われる表示領域の変更もしくは更新により、複数の番組のうち視聴率が最も高い番組を画面全体に表示するように変更もしくは更新され、視聴率が最も高い番組以外の番組については、視聴率が最も高い番組との視聴率の比率に応じて、表示サイズが変更もしくは更新されることを特徴とする請求項１または２に記載の記録再生装置。
【発明の詳細な説明】
【技術分野】
【０００１】
本発明は、放送あるいは通信により提供されるコンテンツの録画ならびに再生を制御する記録再生装置に関するものであり、特に複数のコンテンツを同時再生する際に、ユーザが人気番組を容易に識別するための記録再生装置に関するものである。
【背景技術】
【０００２】
近年、HDD(Hard Disc Drive)や光ディスクに対応する記録再生装置の普及が進んでいる。同時に、記録再生装置のメディア容量の増加に伴い録画できるコンテンツの量も増加している。また、そのような記録再生装置では、複数のチューナを搭載し、同一時刻に複数チャンネルを同時に視聴もしくは録画できるものが多くなってきている。さらには、ユーザによる録画操作を必要とせず、記録再生装置がユーザの視聴履歴からコンテンツを録画する場合もある。この結果、ユーザはコンテンツを放送時にリアルタイムで視聴するのではなく、ユーザの都合が良い時間に録画されているコンテンツを視聴する、という視聴形態がとられるようになってきている。
【０００３】
このように大量の録画番組が存在する状況において、ユーザは自分が見たい番組を検索する必要がある。そこで、特許文献１には、番組のジャンルごとに仮想チャンネルを作成し、ユーザによる番組の検索性を高める方法が開示されている。
【先行技術文献】
【特許文献】
【０００４】
【特許文献１】特開２００１−３３３３５８号公報
【０００５】
上記特許文献１の発明では、録画した番組に付与されている番組情報に含まれるジャンル情報を元に、録画番組により構成される仮想チャンネルを作成してユーザに提示する。ユーザが録画番組を視聴する際には、興味のあるジャンルのチャンネルを選局することにより、所望の番組を発見することができる。
【発明の概要】
【発明が解決しようとする課題】
【０００６】
しかしながら、特許文献１の発明では、ユーザは、自分が興味のあるジャンルについては、容易に検索することができるが、ユーザの興味とは異なるジャンルであって、一般に人気がある番組などを見つけることができない。
【０００７】
そこで本発明では、このような問題を解決するために、一般に人気がある番組をユーザが容易に発見できる記録再生装置を提供することを目的とする。
【課題を解決するための手段】
【０００８】
上記目的を達成するために、ユーザは放送番組の日時を指定すると、指定した時刻に同時録画されている複数の番組を画面上で同時再生し、それぞれの録画番組の視聴率に応じて表示位置および表示サイズを変化させる。
【０００９】
具体的には、本発明の記録再生装置において、前記複数の番組ならびに該複数の番組ごとの番組情報を受信可能な受信部と、外部のネットワークを介して取得される複数の番組ごとの視聴率情報を管理する視聴率管理部と、前記受信部で受信された複数の番組ごとの番組情報に、前記視聴率管理部で管理される複数の番組ごとの視聴率情報を関連付けた番組管理テーブルを作成する番組情報制御部と、前記受信部で受信された複数の番組と、前記番組情報制御部で作成された番組管理テーブルを記録する記録部と、指定された録画時刻に記録された複数の番組を同時に再生させる録画再生制御部と、前記録画再生制御部で再生される複数の番組を同時に表示する表示部と、前記記録部で記録された番組情報管理テーブルの複数の番組ごとの視聴率情報に基づき、前記表示部で表示される複数の番組の表示領域を変更させる表示制御部と、を備えるようにする。
【発明の効果】
【００１０】
本発明によれば、同時に複数の番組を録画・再生することができる記録再生装置において、録画番組の再生時に視聴率の高いものを強調した画面表示を行うことにより、一般に人気のある番組をユーザに容易に示すことができる。
【図面の簡単な説明】
【００１１】
【図１】録画再生システムである。
【図２】記録再生装置機能ブロックである。
【図３】録画番組管理テーブルである。
【図４】視聴率管理テーブルである。
【図５】表示サイズ算出テーブルである。
【図６】番組表示制御フローである。
【図７】表示領域算出フローである。
【図８】実施例１の番組再生画面例（１）である。
【図９】実施例１の番組再生画面例（２）である。
【図１０】実施例２の番組再生画面例である。
【図１１】実施例３の番組再生画面例である。
【発明を実施するための形態】
【００１２】
以下に、本発明を実施するための形態を説明する。
【実施例１】
【００１３】
図1は、本発明に係る記録再生装置１０１と、ネットワークを介して接続された視聴率管理サーバ１０２を含む録画再生システムの構成図である。
【００１４】
記録再生装置１０１は、放送波やネットワーク通信など番組を配信するために利用される放送網に接続して番組ならびに番組情報を受信し、内蔵もしくは外部接続された録画メディアに保存する。ここで、録画メディアとは、たとえばHDD(Hard Disk Drive)や光ディスク、フラッシュメモリなどである。さらに、記録再生装置１０１は、複数の選局装置を内蔵しており、異なるチャンネルで同時刻に伝送されている複数の番組を同時に録画することができる。さらに、記録再生装置１０１は、録画した複数の番組を同時に再生し、位置、サイズを指定して画面表示することができる。
【００１５】
視聴率管理サーバ１０２は、過去に放送された番組について、一定時間周期での視聴率情報を保持している。視聴率情報は、視聴者の年齢、性別、住所などのフィルタリング条件を設定した上で、該当する視聴者の視聴率を算出することもできる形式で保持している。視聴率管理サーバは、ネットワークを介して接続された記録再生装置から特定の番組の視聴率情報取得のリクエストを受信すると、記録再生装置に対して指定された番組の視聴率情報を送信する。
【００１６】
次に、本発明における記録再生装置１０１について、図６に示す複数番組再生処理フローと図２に示す記録再生装置１０１の各機能ブロックとを用いて説明する。
【００１７】
Ｓ６０１では、ユーザの操作により、どの時間に録画した番組を再生するかを選択させる。
【００１８】
選択操作は、例えば過去の番組表を表示し、その中から所望の時間帯をユーザに選択させることもできるし、所望の日時を直接入力することにより指定することもできる。
【００１９】
表示制御部２０１は、記録部２０２に録画されている録画番組管理テーブル３００から番組表画面を作成し、表示部２０３に対して作成した画面イメージを表示するよう指示を送る。ユーザは、番組表画面を操作するために図示していないリモコンなどの入力装置を使用し、その操作内容は入力部２０４に通知される。入力部２０４は受信したユーザ操作を表示制御部２０１に通知する。通知を受けた表示制御部２０１はカーソル移動や画面スクロールなど画面表示を変更し、表示部２０３に対する表示要求を逐次行う。
【００２０】
ここで、表示部２０３とは、記録再生装置１０１と一体型のモニタであってもよいし、外部モニタと接続するための映像出力端子（たとえばＨＤＭＩやＤＶＩなど）であってもよい。
【００２１】
以上の操作により、ユーザは視聴対象とする時間帯を選択する。選択された時間帯の開始時刻をＴとし、表示制御部２０１で保持する。
【００２２】
Ｓ６０２では、Ｓ６０１で選択された時刻Ｔに放送されていた番組で、記録部２０２に録画されている番組の一覧を作成する。番組一覧の作成に必要となる録画番組管理テーブル３００は録画時に作成されるため、まず本発明の記録再生装置１０１での録画動作について説明し、続いて再生番組選択処理について説明する。
【００２３】
次に、録画処理について説明する。
【００２４】
本発明の記録再生装置１０１の受信部２０５は複数のチューナから構成されており、チューナの個数と同数のチャンネルを同時に録画することができる。また、ユーザによる特定の番組に対する録画予約操作が行われなかった場合においても、ユーザによりあらかじめ設定されたチャンネルで放送されるすべての番組を録画し、一定期間（たとえば1週間）保存する。受信可能なチャンネル数が受信部のチューナ数より少ない場合には、すべてのチャンネルの番組を録画してもよい。
【００２５】
録画の際には、放送網から受信した番組は、記録再生装置１０１の受信部２０５にて、番組の映像音声信号と、放送時間やジャンルなどの番組情報とにフィルタリングされる。映像音声信号は、録画・再生制御部２０６へと伝送され、番組録画データとして記録部２０２に保存される。番組情報は、番組情報制御部２０７へと伝送され、図３に示す録画番組管理テーブル３００が作成され、記録部２０２に保存される。録画番組管理テーブル３００は、番組ごとに番組名や放送時間、放送局、ジャンルに加え、録画・再生制御部２０６が保存した、データへの参照情報が記載されたデータ構造を保持し、このリストとして管理する。また、録画の時点では、各番組の視聴率テーブルＩＤの領域は空となり、後の処理で視聴率サーバから視聴率を取得した時点で参照先を追加する。
【００２６】
次に、再生番組選択処理について説明する。
【００２７】
表示制御部２０１は記録部２０２から録画番組管理テーブル３００を読み出す。読み出した録画番組管理テーブル３００に対して、Ｓ６０１にて選択された時刻Tが放送開始(Ｔｓ)と放送終了(Te)の間に含まれる番組、つまり、Ts ≦ T ＜ Teの関係が成立する番組が存在するか検索し、これに該当した番組の録画番組情報リストを作成し、表示制御部２０１にて保持する。この際、Ｔｓ≠Ｔであった場合には、番組の再生開始ポイントを、先頭からＴ−Ｔｓだけ進めた時刻に設定することで、すべての番組を放送時と同様に同期して再生することができる。
【００２８】
Ｓ６０３では、表示制御部２０１はＳ６０２で作成した録画番組情報リストの各要素について、視聴率テーブルＩＤが設定されているかを順番に確認する。
【００２９】
視聴率テーブルＩＤが設定されていない要素が存在した場合には、Ｓ６０４へ進む。すべての要素に視聴率テーブルＩＤが設定されている場合には、Ｓ６０４はスキップしてＳ６０５へ進む。
【００３０】
Ｓ６０４では、不足している視聴率情報の取得を行う。
【００３１】
表示制御部２０１は、Ｓ６０２で作成した録画番組情報リストのうち、視聴率テーブルＩＤが設定されていない要素について、番組名と放送日時をもとに、視聴率管理部２０８に対して視聴率データの取得を要求する。上記の要求を受けた視聴率管理部２０８は、通信部２０９を介して接続されている視聴率管理サーバ１０２に対して、指定された番組の視聴率取得の要求を発行し、所望の視聴率情報を取得する。視聴率管理部２０８は、視聴率管理サーバ１０２から取得した視聴率情報を元に、図４に示す視聴率管理テーブル４００を作成する。視聴率管理テーブル４００は、対象となる番組の放送開始から終了までの間、一定の時間周期（たとえば５秒周期）の番組視聴率をリスト化したものである。作成した視聴率管理テーブル４００は、番組名と一意にマッチング可能なＩＤを付与して記録部２０２に記録する。また、表示制御部２０１に対して、作成した視聴率管理テーブルＩＤを通知する。この通知を受けた表示制御部２０１は、該当する録画番組の視聴率テーブルＩＤにこれを設定する。
【００３２】
Ｓ６０５では、Ｓ６０２で選択された番組に対して、各番組の再生画面を表示する領域の割当を行う。本処理の流れについては、図５のフローを用いた「各表示領域への番組割当、番組表示サイズの決定について」の説明として後述する。
【００３３】
Ｓ６０６では、再生状態として、各番組の再生が終端に達したかを確認し、終端に達していない場合には、状態は「再生中」のまま継続、終端に達した場合には状態を「再生停止」に変更する。各番組の再生状態は録画・再生制御部２０６が管理し、状態に変更があった場合に表示制御部２０１に対して通知する。また、まだ再生を開始していない番組については、表示制御部２０１から録画・再生制御部２０６に対して再生処理の開始を指示し、再生状態を「再生中」に変更する。
【００３４】
Ｓ６０７では、表示制御部２０１にて再生状態が「再生中」から「再生終了」となった番組が存在するかを確認する。再生状態に変化がなかった場合には、一定のウェイト期間をおいた後に、Ｓ６０５へと進む。このウェイト期間は、番組表示領域および表示サイズの変更タイミングを制御するためのものであり、表示制御部２０１が管理する設定画面にて、ユーザにより設定できるようにしてもよい。
【００３５】
再生状態が「再生終了」に変化した番組が存在する場合には、Ｓ６０８へと進む。
【００３６】
Ｓ６０８では、再生が終了した番組の変わりに再生する番組を選択する。番組の選択は、記録部２０２に録画された番組の中から、再生状態が「再生停止」であり、かつ、Ｓ６０１でユーザが指定した開始時刻Ｔにこれまでの経過時間T(j)を加えた時刻「T＋T(j)」が、録画開始Tsと録画終了Teの間に収まっている番組を検索する。番組が発見された場合、その番組をＳ６０２再生番組リストに追加するとともに、番組の再生開始ポイントを時刻Ｔ＋Ｔ(j)にあわせ、Ｓ６０３へと進む。
【００３７】
もし再生可能な番組が存在しなくなった場合には、処理を終了する。
【００３８】
以上の処理により、複数の番組を同時に再生させ、視聴率に応じて各番組の表示領域と表示サイズを切り替えながら、視聴率の高い番組を強調した画面表示とすることができる。
【００３９】
次に、各表示領域への番組割当、番組表示サイズ決定について説明する。
【００４０】
図７は、画面に対する番組表示領域割当の処理の流れを現すフローである。
【００４１】
Ｓ７０１では、表示制御部２０１は再生中の各番組について、各番組の再生を開始する時刻（Ti）における視聴率(Pi)を視聴率管理テーブル４００から取得する。
【００４２】
Ｓ７０２では、再生中の各番組を画面上のどの表示領域に割り当てるかを決定する。表示制御部２０１は、視聴率P(i)が高い番組から順に選択し、表示領域（１）から順に表示領域（２），表示領域（３）と割当を行う。ここで、表示領域は表示領域（１）が画面上で最も目立つ場所に配置されており、後ろになるにつれて目立たない位置やサイズとなるようにあらかじめ設定しておく。
【００４３】
Ｓ７０３では、表示領域内での番組再生モードとして、固定モードと可変モードのいずれが設定されているかを確認する。ここで、固定モードとは、指定された表示領域全面を使用して番組を再生するモードであり、可変モードとは、視聴率の高低と連動して表示領域内での番組再生サイズを変更するモードである。この設定は、表示制御部２０１がユーザに設定メニューを提示し、ユーザに設定させ、設定内容を記録部２０２に記録しておく。
【００４４】
ここで、表示モードが固定モードであった場合には、Ｓ７０４はスキップしてＳ７０５へと進む。表示モードが可変モードであった場合には、Ｓ７０５へ進む。
【００４５】
Ｓ７０４では、表示領域内での番組の表示サイズならびに表示位置を算出する。表示サイズは、図５に示す表示サイズ算出テーブル５００を用いて領域に対する表示割合を決定し、各番組が割り当てられている表示領域のサイズに対して表示割合を乗算することで番組の表示サイズを算出し、表示位置は表示領域の中央となるよう座標を指定する。
【００４６】
Ｓ７０６では、表示サイズ算出テーブルを使用せず、各番組の表示サイズと表示位置を、割り当てられた表示領域全体に一致するように指定する。
【００４７】
Ｓ７０５では、表示制御部２０１から録画・再生制御部２０６に対して、各番組の表示位置ならびに表示サイズとしてＳ７０４、もしくはＳ７０６で算出した値を設定するように指示を送る。
【００４８】
以上のように、図７に示す処理フローにより、表示領域に対する番組の割当、ならびに表示サイズを決定することができる。
【００４９】
次に、番組表示領域の一例について説明する。
【００５０】
先述の処理フローに基づいた、本発明における記録再生装置による画面表示の一例を、図を用いて説明する。
【００５１】
図８は、２番組を同時に再生するケースの画面表示の一例である。番組表示領域は８０１に示すように画面左右に表示領域（１）、表示領域（２）として設定され、表示領域への番組割当処理においては、視聴率の高いものが表示領域（１）に割り当てられる。同時再生する番組Ａ、番組Ｂの視聴率が図８０４に示すように時刻T(i)とT(i+1)で変化する場合、時刻T(i)の画面表示が８０２、T(i+1)の画面表示が８０３である。時刻T(i)においては、番組Aの視聴率が番組Bの視聴率よりも高いので、表示領域（１）に番組A、表示領域（２）に番組Bが割り当てられる。また、表示サイズも、各番組の視聴率から算出し、番組Aは表示領域に対して100%、番組Bは表示領域に対して40%で表示する。時刻がT(i+1)に遷移すると、番組Aと番組Bの視聴率は逆転するため、画面８０３では各表示領域に対する番組の割り当ても入れ替わる。さらに、各番組の表示サイズも、それぞれT(i+1)における視聴率をもとに決定したサイズに変更する。
【００５２】
図９は、４番組を同時に再生するケースの画面表示の一例である。番組表示領域は９０１に示すように画面を上下左右に４分割して設定される。表示領域への番組割当や表示サイズ決定は、先述の処理フローにて決定され、各番組の視聴率が時刻T(i)からT(i+1)で９０４のように変化する場合、時刻T(i)での画面表示が画面９０２、時刻T(i+1)での表示が画面９０３となる。
【００５３】
このように、同時に再生する番組数が変化しても、本発明の処理フローを用いることにより、視聴率に則した表示領域への番組割当ならびに番組表示サイズ決定処理を行うことができる。
【実施例２】
【００５４】
本発明に係る第２の実施例について説明する。実施例１との差異は、表示領域の位置、サイズを可変とし、視聴率と連動して変化させることにあり、番組表示サイズおよび表示位置の算出方法を除いて受信再生装置の機能構成や制御フローは実施例１と同一である。ここでは、番組表示サイズおよび表示位置の算出方法についてのみ説明する。
【００５５】
本実施例では、再生中の各番組の再生時点における視聴率を利用した表示領域サイズ、ならびに表示位置を以下の方法により算出する。
【００５６】
表示サイズは、Ｗ：画面全体の幅、Ｈ：画面全体の高さ、Ｐｋ：番組ｋの視聴率、と定義すると、番組ｋの表示領域幅Ｗｋおよび高さＨｋは次式にて算出できる。
Ｗk ＝ Ｗ  ×  Ｐｋ／再生中番組の視聴率の総和
Ｈk ＝ Ｈ  ×  Ｐｋ／再生中番組の視聴率の総和
表示位置については、各番組の表示サイズを算出した後に、視聴率の高い番組から順に画面左上から並べて配置する。
【００５７】
本実施例を使用した場合の画面表示の一例を図１０に示す。１００１、１００２、１００３は、番組Ａと番組Ｂの２番組を同時再生した際の、時刻T(i)、T(i+1)、T(i+2)における画面表示例である。ここで、各番組の視聴率は１００４に示されるように、番組Ｂは時刻T(i)からT(i+1)にかけて視聴率が増加し、それに合わせて再生サイズが拡大、時刻T(i+2)では番組Ａの視聴率を上回り、表示領域が入れ替えを行う。この表示例では２番組を同時再生しているが、３番組以上の同時再生でも同一の処理で対応することができる。その際、表示位置は、すべて同一例に並べることもできるし、たとえば視聴率上位n位までの番組を画面上段、ｎ＋１番目以降を画面下段に表示するといった配置としてもよい。
【実施例３】
【００５８】
本発明に係る第３の実施例について説明する。本実施例では、再生している番組の中で視聴率が最高のものを全画面に表示し、その上で視聴率が２位以下の番組を視聴率に応じて算出したサイズで重ね合わせ表示する。番組表示サイズおよび表示位置の算出方法を除いて受信再生装置の機能構成や制御フローは実施例２と同一であるため、ここでは番組表示サイズおよび表示位置の算出方法についてのみ説明する。
【００５９】
本実施例では、再生中の各番組の再生時点における視聴率を利用した表示領域サイズ、ならびに表示位置を以下の方法により算出する。
【００６０】
まず、視聴率が最高である番組の表示領域、サイズは画面全体とする。視聴率が同一で最高となる番組が複数存在する場合には、前回の表示領域サイズ算出処理にて最大視聴率であった番組を視聴率１位として扱う。視聴率が２位以下の番組については、以下の方法にて表示サイズならびに表示位置を算出する。
【００６１】
表示サイズは、Ｗ：画面全体の幅、Ｈ：画面全体の高さ、Ｐtop：視聴率が最高の番組の視聴率、Ｐｋ番組ｋの視聴率、ｎ：同時再生番組数、と定義すると、番組ｋの表示領域幅Ｗｋおよび高さＨｋは次式にて算出する。
Ｗk ＝ Ｗ  ×  Ｐｋ／Ｐtop  ×  １／ｎ
Ｈk ＝ Ｈ  ×  Ｐｋ／Ｐtop  ×  １／ｎ
表示位置については、各番組の表示サイズを算出した後に、視聴率が高い番組から順に画面左下から並べて配置する。また、表示位置は、画面上部に並べるようにしてもよいし、左端もしくは右端に縦方向に並べるようにしてもよい。
【００６２】
本実施例を使用した場合の画面表示の一例を図１１に示す。１１０１、１１０２、１１０３は、番組Ａと番組Ｂの２番組を同時再生した際の、時刻T(i)、T(i+1)、T(i+2)における画面表示例であり、各番組の視聴率は１００４に示すとおりである。時刻T(i)では、番組Ａの視聴率が最大であるため、番組Ａが全画面で表示され、番組Ｂは番組Ａに重ねて表示される。時刻T(i+1)では、番組Ａと番組Ｂの視聴率が同一になるため、T(i)での視聴率が高かった番組Ａが全画面表示となる。T(i+2)では、番組Ｂの視聴率が番組Ａよりも高くなるため、番組Ｂが全画面表示となる。
【符号の説明】
【００６３】
１０１  記録再生装置
１０２  視聴率管理サーバ
２０１  表示制御部
２０２  録画部
２０３  表示部
２０４  入力部
２０５  受信部
２０６  録画・再生制御部
２０７  番組情報制御部
２０８  視聴率管理部
２０９  通信部
３００  録画番組管理テーブル
４００  視聴率管理テーブル
５００  表示サイズ算出テーブル
８０１〜８０３  実施例１の画面表示例（１）
９０１〜９０３  実施例１の画面表示例（２）
１００１〜１００３  実施例２の画面表示例
１１０１〜１１０３  実施例３の画面表示例
【図１】
2011182275.tif 000003
【図２】
2011182275.tif 000004
【図３】
2011182275.tif 000005
【図４】
2011182275.tif 000006
【図５】
2011182275.tif 000007
【図６】
2011182275.tif 000008
【図７】
2011182275.tif 000009
【図８】
2011182275.tif 000010
【図９】
2011182275.tif 000011
【図１０】
2011182275.tif 000012
【図１１】
2011182275.tif 000013